(57)【要約】【課題】データ線の間隔が等間隔ではない場合に表示の均一性を確保する。【解決手段】Ｘ方向に延在する第１のデータ線３４Gと、Ｘ方向に延在し、第１のデータ線３４Gに隣り合う第２のデータ線３４Rと、Ｘ方向に延在し、第１のデータ線３４Gに第２のデータ線３４Rとは反対側に隣り合う第３のデータ線３４Bと、Ｘ方向に延在し、第２のデータ線３４Rに第１のデータ線３４Gとは反対側に隣り合う第４のデータ線３４Bと、２つの電極を有し、一方の電極３４１Gが第１のデータ線３４Gに電気的に接続される第１の保持容量ＣｓGと、を備え、第２のデータ線３４Rと第３のデータ線３４Bとの間隔ＤBRは、第１のデータ線３４Gと第４のデータ線３４Bとの間隔ＤGBよりも大きい、ことを特徴とする表示パネル１０。【選択図】図６
2015004910.tif 000002
【特許請求の範囲】
【請求項１】
第１のデータ線と、
前記第１のデータ線に隣り合うように、前記第１のデータ線に沿って延在する第２のデータ線と、
前記第１のデータ線に前記第２のデータ線とは反対側に隣り合うように、前記第１のデータ線に沿って延在する第３のデータ線と、
前記第２のデータ線に前記第１のデータ線とは反対側に隣り合うように、前記第２のデータ線に沿って延在する第４のデータ線と、
２つの電極を有し、一方の電極が前記第１のデータ線に電気的に接続される第１の保持容量と、
２つの電極を有し、一方の電極が前記第２のデータ線に電気的に接続される第２の保持容量と、
を備え、
前記第２のデータ線と前記第３のデータ線との間隔は、
前記第１のデータ線と前記第４のデータ線との間隔よりも大きく、
前記第１の保持容量の容量値は、
前記第２の保持容量の容量値よりも大きい、
ことを特徴とする電気光学パネル。
【請求項２】
前記電気光学パネルは、
少なくとも第１色及び第２色を変調可能であり、
前記第１のデータ線及び前記第３のデータ線の間に、前記第１のデータ線に対応して設けられた、前記第１色を変調可能な第１の画素と、
前記第２のデータ線及び前記第１のデータ線の間に、前記第２のデータ線に対応して設けられた、前記第２色を変調可能な第２の画素と、
を備え、
前記第１色の光は、
前記第２色の光に比べて、分光感度が高い、
ことを特徴とする請求項１に記載の電気光学パネル。
【請求項３】
前記第１の保持容量の容量値及び前記第２の保持容量の容量値は、
前記第１の保持容量の容量値、及び、前記第１のデータ線に寄生する容量の容量値の和である第１合計値と、前記第２の保持容量の容量値、及び、前記第２のデータ線に寄生する容量の容量値の和である第２合計値と、が略同じとなるように定められる、
ことを特徴とする請求項１または２に記載の電気光学パネル。
【請求項４】
前記第１のデータ線が延在する方向に交差する方向において、
前記第１の保持容量が備える電極の長さは、
前記第２の保持容量が備える電極の長さよりも長い、
ことを特徴とする請求項１乃至３のうち何れか１項に記載の電気光学パネル。
【請求項５】
前記第１のデータ線が延在する方向において、前記第１の保持容量が備える電極の長さと、前記第２の保持容量が備える電極の長さとは、略同じであり、
前記第１のデータ線が延在する方向における、前記第１の保持容量の位置と、前記第２の保持容量の位置とは、略同じである、
ことを特徴とする請求項４に記載の電気光学パネル。
【請求項６】
第１のデータ線と、
前記第１のデータ線に隣り合うように、前記第１のデータ線に沿って延在する第２のデータ線と、
前記第１のデータ線に前記第２のデータ線とは反対側に隣り合うように、前記第１のデータ線に沿って延在する第３のデータ線と、
前記第２のデータ線に前記第１のデータ線とは反対側に隣り合うように、前記第２のデータ線に沿って延在する第４のデータ線と、
２つの電極を有し、一方の電極が前記第１のデータ線に電気的に接続される第１の保持容量と、
を備え、
前記第２のデータ線と前記第３のデータ線との間隔は、
前記第１のデータ線と前記第４のデータ線との間隔よりも大きい、
ことを特徴とする電気光学パネル。
【請求項７】
前記第１の保持容量の容量値は、
前記第１の保持容量の容量値、及び、前記第１のデータ線に寄生する容量の容量値の和である第１合計値と、前記第２のデータ線に寄生する容量の容量値と、が略同じとなるように定められる、
ことを特徴とする請求項６に記載の電気光学パネル。
【請求項８】
第１色、第２色、及び、第３色を変調可能な電気光学パネルであって、
第１のデータ線と、
前記第１のデータ線に隣り合うように、前記第１のデータ線に沿って延在する第２のデータ線と、
前記第１のデータ線に前記第２のデータ線とは反対側に隣り合うように、前記第１のデータ線に沿って延在する第３のデータ線と、
前記第１のデータ線に対応して設けられ、前記第１色を変調可能な第１の画素と、
前記第２のデータ線に対応して設けられ、前記第２色を変調可能な第２の画素と、
前記第３のデータ線に対応して設けられ、前記第３色を変調可能な第３の画素と、
２つの電極を有し、一方の電極が前記第１のデータ線に電気的に接続される第１の保持容量と、
２つの電極を有し、一方の電極が前記第２のデータ線に電気的に接続される第２の保持容量と、
２つの電極を有し、一方の電極が前記第３のデータ線に電気的に接続される第３の保持容量と、
を備え、
前記第１のデータ線と前記第３のデータ線との間隔は、
前記第１のデータ線と前記第２のデータ線との間隔よりも大きく、
前記第１の画素は、
前記第１のデータ線及び前記第３のデータ線の間に設けられ、
前記第１色の光は、
前記第２色の光、及び、前記第３色の光に比べて、分光感度が高く、
前記第２の保持容量の容量値は、
前記第１の保持容量の容量値よりも小さく、且つ、
前記第３の保持容量の容量値よりも小さい、
ことを特徴とする電気光学パネル。
【請求項９】
前記第１のデータ線の配線抵抗は、
前記第２のデータ線の配線抵抗よりも高い、
ことを特徴とする請求項１乃至８のうち何れか１項に記載の電気光学パネル。
【請求項１０】
請求項１乃至９のうち何れか１項に記載の電気光学パネルを具備する電子機器。
【発明の詳細な説明】
【技術分野】
【０００１】
本発明は、電気光学パネル及び電子機器に関する。
【背景技術】
【０００２】
近年、液晶素子や発光素子等の電気光学素子を備えた表示パネル等の電気光学パネルが各種提案されている。この電気光学パネルは、複数の走査線と、複数のデータ線と、走査線及びデータ線の交差に対応して設けられた複数の画素と、複数の画素の各々が表示すべき階調を規定するデータ信号を、データ線を介して各画素に供給するデータ線駆動回路と、を備える構成が一般的である（例えば、特許文献１参照）。
【先行技術文献】
【特許文献】
【０００３】
【特許文献１】特開２００８−００８９４２号公報
【発明の概要】
【発明が解決しようとする課題】
【０００４】
ところで、データ線と画素回路を構成する各種配線との間、及び、互いに隣り合う２列のデータ線の間等には、容量が寄生する。そのため、一のデータ線に対応して設けられる画素を、他のデータ線に対応して設けられる画素に比べて大きくする場合等、複数のデータ線が等間隔にはならない場合には、複数のデータ線のそれぞれに寄生する容量の容量値が、データ線毎にばらつくことになる。データ線毎に寄生容量の容量値がばらつく場合、寄生容量の容量値が大きいデータ線に対応して設けられる画素に比べて、寄生容量の容量値が小さいデータ線に対応して設けられる画素に対するデータ信号の書込が不十分になるため、電気光学パネルの表示が不均一になるという問題があった。
【０００５】
本発明は上述した事情に鑑みてなされたものであり、その目的の一つは、データ線の間隔が等間隔とならないときであっても、表示の均一性を確保した高品位の表示を実現することである。
【課題を解決するための手段】
【０００６】
上記目的を達成するために本発明に係る電気光学パネルは、第１のデータ線と、前記第１のデータ線に隣り合うように、前記第１のデータ線に沿って延在する第２のデータ線と、前記第１のデータ線に前記第２のデータ線とは反対側に隣り合うように、前記第１のデータ線に沿って延在する第３のデータ線と、前記第２のデータ線に前記第１のデータ線とは反対側に隣り合うように、前記第２のデータ線に沿って延在する第４のデータ線と、２つの電極を有し、一方の電極が前記第１のデータ線に電気的に接続される第１の保持容量と、２つの電極を有し、一方の電極が前記第２のデータ線に電気的に接続される第２の保持容量と、を備え、前記第２のデータ線と前記第３のデータ線との間隔は、前記第１のデータ線と前記第４のデータ線との間隔よりも大きく、前記第１の保持容量の容量値は、前記第２の保持容量の容量値よりも大きい、ことを特徴とする。
【０００７】
この発明に係る電気光学パネルにおいて、第２のデータ線及び第１のデータ線の間隔と、第２のデータ線及び第４のデータ線の間隔との和は、第１のデータ線及び第２のデータ線の間隔と、第１のデータ線及び第３のデータ線の間隔との和に比べて小さい。このため、第２のデータ線に寄生する容量の容量値は、第１のデータ線に寄生する容量の容量値に比べて大きくなる。
この発明によれば、第１のデータ線の有する容量値と、第２のデータ線の有する容量値との差分を、第１の保持容量及び第２の保持容量を備えない場合に比べて小さくすることができる。そのため、各データ線に対して画素を設ける場合において、第２のデータ線に対応して設けられる画素が、第１のデータ線に対応して設けられる画素に比べて、データ信号の書込が不十分になることを防止することができ、表示の均一性を確保することが可能となる。
【０００８】
また、上述した電気光学パネルは、少なくとも第１色及び第２色を変調可能であり、前記第１のデータ線及び前記第３のデータ線の間に、前記第１のデータ線に対応して設けられた、前記第１色を変調可能な第１の画素と、前記第２のデータ線及び前記第１のデータ線の間に、前記第２のデータ線に対応して設けられた、前記第２色を変調可能な第２の画素と、を備え、前記第１色の光は、前記第２色の光に比べて、分光感度が高い、ことを特徴とすることが好ましい。
この態様によれば、第１のデータ線及び第３のデータ線の間隔を、第１のデータ線及び第２のデータ線の間隔に比べて大きくすることができるため、第１の画素を、第２の画素に比べて大きくすることができる。そのため、この態様に係る電気光学パネルでは、第１の画素の大きさが第２の画素の大きさ以下である場合と比較して、分光感度の高い第１の光をより多く出射することが可能となり、画面全体の明るさを向上させることができる。
【０００９】
また、上述した電気光学パネルにおいて、前記第１の保持容量の容量値及び前記第２の保持容量の容量値は、前記第１の保持容量の容量値、及び、前記第１のデータ線に寄生する容量の容量値の和である第１合計値と、前記第２の保持容量の容量値、及び、前記第２のデータ線に寄生する容量の容量値の和である第２合計値と、が略同じとなるように定められる、ことを特徴とすることが好ましい。
この態様によれば、第１のデータ線の有する容量値と、第２のデータ線の有する容量値とを、略同じにするため、第２のデータ線に対応して設けられる画素が、第１のデータ線に対応して設けられる画素に比べて、データ信号の書込が不十分となることを防止することができ、表示の均一性を確保することが可能となる。
なお、この発明において、「略同じ」とは、製造誤差の範囲内にあることを意味し、完全に等しい場合の他に、製造誤差を考慮すれば等しいと看做すことができる場合を含む。
【００１０】
また、上述した電気光学パネルは、前記第１のデータ線が延在する方向に交差する方向において、前記第１の保持容量が備える電極の長さは、前記第２の保持容量が備える電極の長さよりも長い、ことを特徴とすることが好ましい。
【００１１】
また、上述した電気光学パネルは、前記第１のデータ線が延在する方向において、前記第１の保持容量が備える電極の長さと、前記第２の保持容量が備える電極の長さとは、略同じであり、前記第１のデータ線が延在する方向における、前記第１の保持容量の位置と、前記第２の保持容量の位置とは、略同じである、ことを特徴とすることが好ましい。
【００１２】
また、本発明に係る電気光学パネルは、第１のデータ線と、前記第１のデータ線に隣り合うように、前記第１のデータ線に沿って延在する第２のデータ線と、前記第１のデータ線に前記第２のデータ線とは反対側に隣り合うように、前記第１のデータ線に沿って延在する第３のデータ線と、前記第２のデータ線に前記第１のデータ線とは反対側に隣り合うように、前記第２のデータ線に沿って延在する第４のデータ線と、２つの電極を有し、一方の電極が前記第１のデータ線に電気的に接続される第１の保持容量と、を備え、前記第２のデータ線と前記第３のデータ線との間隔は、前記第１のデータ線と前記第４のデータ線との間隔よりも大きい、ことを特徴とすることが好ましい。
この発明によれば、第１のデータに対応して、第１の保持容量が設けられる。このため、第１のデータ線の有する容量値と、第２のデータ線の有する容量値との差分を、第１の保持容量を備えない場合に比べて小さくすることができる。従って、各データ線に対して画素を設ける場合、第２のデータ線に対応して設けられる画素が、第１のデータ線に対応して設けられる画素に比べて、データ信号の書込が不十分になることを防止することができ、表示の均一性を確保することが可能となる。
【００１３】
また、上述した電気光学パネルにおいて、前記第１の保持容量の容量値は、前記第１の保持容量の容量値、及び、前記第１のデータ線に寄生する容量の容量値の和である第１合計値と、前記第２のデータ線に寄生する容量の容量値と、が略同じとなるように定められる、ことを特徴とすることが好ましい。
この態様によれば、第１のデータ線の有する容量値と、第２のデータ線の有する容量値とを、略同じにするため、第２のデータ線に対応して設けられる画素が、第１のデータ線に対応して設けられる画素に比べて、データ信号の書込が不十分となることを防止することができ、表示の均一性を確保することが可能となる。
【００１４】
また、本発明に係る電気光学パネルは、第１色、第２色、及び、第３色を変調可能な電気光学パネルであって、第１のデータ線と、前記第１のデータ線に隣り合うように、前記第１のデータ線に沿って延在する第２のデータ線と、前記第１のデータ線に前記第２のデータ線とは反対側に隣り合うように、前記第１のデータ線に沿って延在する第３のデータ線と、前記第１のデータ線に対応して設けられ、前記第１色を変調可能な第１の画素と、前記第２のデータ線に対応して設けられ、前記第２色を変調可能な第２の画素と、前記第３のデータ線に対応して設けられ、前記第３色を変調可能な第３の画素と、２つの電極を有し、一方の電極が前記第１のデータ線に電気的に接続される第１の保持容量と、２つの電極を有し、一方の電極が前記第２のデータ線に電気的に接続される第２の保持容量と、２つの電極を有し、一方の電極が前記第３のデータ線に電気的に接続される第３の保持容量と、を備え、前記第１のデータ線と前記第３のデータ線との間隔は、前記第１のデータ線と前記第２のデータ線との間隔よりも大きく、前記第１の画素は、前記第１のデータ線及び前記第３のデータ線の間に設けられ、前記第１色の光は、前記第２色の光、及び、前記第３色の光に比べて、分光感度が高く、前記第２の保持容量の容量値は、前記第１の保持容量の容量値よりも小さく、且つ、前記第３の保持容量の容量値よりも小さい、ことを特徴とする。
【００１５】
また、上述した電気光学パネルにおいて、前記第１のデータ線の配線抵抗は、前記第２のデータ線の配線抵抗よりも高い、ことを特徴とすることが好ましい。
この態様によれば、配線抵抗を備えない場合と比較して、第１のデータ線と、第２のデータ線との間で、時定数を均一化することができるため、表示の均一性を高めることが可能となる。
【００１６】
なお、本発明は、電気光学パネルのほか、当該電気光学パネルを有する電子機器として概念することも可能である。電子機器としては、典型的にはヘッドマウント・ディスプレイ（ＨＭＤ）や電子ビューファイダーのなどの表示装置が挙げられる。
【図面の簡単な説明】
【００１７】
【図１】実施形態に係る電気光学装置の構成を示す斜視図である。
【図２】同電気光学装置の構成を示すブロック図である。
【図３】同電気光学装置における画素回路を示す図である。
【図４】同電気光学装置における画素回路の構成を示す平面図である。
【図５】同電気光学装置における画素回路の構成を示す部分断面図である。
【図６】同電気光学装置における保持容量及びデータ線並びに画素の関係を示す説明図である。
【図７】同電気光学装置における保持容量の構成を示す部分断面図である。
【図８】変形例２に係る電気光学装置における保持容量及びデータ線の構成を示す平面図である。
【図９】変形例３に係る電気光学装置における保持容量及びデータ線の構成を示す平面図である。
【図１０】変形例４に係る電気光学装置における保持容量及びデータ線の構成を示す平面図である。
【図１１】変形例５に係る電気光学装置の構成を示すブロック図である。
【図１２】変形例６に係る電気光学装置における保持容量及びデータ線並びに画素の関係を示す説明図である。
【図１３】変形例７に係る電気光学装置における保持容量及びデータ線並びに画素の関係を示す説明図である。
【図１４】電子機器（ＨＭＤ）の斜視図である。
【図１５】ＨＭＤの光学構成を示す図である。
【図１６】電子機器（パーソナルコンピュータ）の斜視図である。
【図１７】電子機器（携帯電話機）の斜視図である。
【発明を実施するための形態】
【００１８】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
＜Ａ．実施形態＞
図１は、本発明の実施形態に係る電気光学装置１の構成を示す斜視図である。
図１に示すように、電気光学装置１は、表示パネル１０（「電気光学パネル」の一例）と、表示パネル１０の動作を制御する制御回路５０とを備える。
表示パネル１０は、複数の画素と、当該画素（画素に対応して設けられる画素回路）を駆動する駆動回路とを備える。表示パネル１０は、例えば、表示部で開口する枠状のケース２０１に収納されるとともに、ＦＰＣ（Flexible Printed Circuits）基板２０２の一端が接続される。ＦＰＣ基板２０２には、半導体チップの制御回路５０が、ＣＯＦ（Chip On Film）技術によって実装されるとともに、複数の端子２０３が設けられて、図示省略された上位回路に接続される。
【００２０】
図２は、実施形態に係る電気光学装置１の構成を示すブロック図である。上述のとおり、電気光学装置１は、表示パネル１０と、制御回路５０とを備える。
制御回路５０には、図示省略された上位回路より、デジタルの画像データＶideoが同期信号に同期して供給される。ここで、画像データＶideoとは、表示パネル１０で画像を表示するときに各画素が表示すべき階調レベルを例えば８ビットで規定するデジタルデータである。また、同期信号とは、垂直同期信号、水平同期信号、及び、ドットクロック信号を含む信号である。
制御回路５０は、同期信号に基づいて、表示パネル１０の動作を制御するための信号である制御信号Ｃtrを生成し、これを表示パネル１０に対して供給する。また、制御回路５０は、画像データＶideoに基づいてアナログの画像信号Ｖidを生成し、これを表示パネル１０に対して供給する。画像信号Ｖidは、画素Ｐxが画像データＶideoの指定する階調を表示するように、当該画素Ｐxが備える液晶素子（後述する液晶素子ＣL）の透過率を規定する電位を示す信号である。
【００２１】
図２に示すように、表示パネル１０には、表示領域３０において、複数の画素Ｐxが配列されている。
具体的には、表示パネル１０において、Ｍ行の走査線３２が図においてＸ方向（「第２方向」の一例）に延在して設けられ、また、Ｎ列のデータ線３４が図においてＹ方向（「第１方向」の一例）に延在し、かつ、各走査線３２と互いに電気的な絶縁を保って設けられている。そして、表示領域３０において、Ｍ行の走査線３２とＮ列のデータ線３４との交差部に対応して画素Ｐxが設けられている。つまり、本実施形態において画素Ｐxは、縦Ｍ行×横Ｎ列でマトリクス状に配列されている。ここで、Ｍ、Ｎは、いずれも自然数である。
なお、図２では図示省略するが、表示領域３０において、Ｍ行の給電線３８が、図においてＸ方向に延在し、かつ、各データ線３４と互いに電気的な絶縁を保って設けられている。
【００２２】
以下では、走査線３２、給電線３８、及び、画素Ｐxの行（ロウ）を区別するために、図において上から順に第１行、第２行、…、第Ｍ行と呼ぶ場合がある。同様に、データ線３４及び画素Ｐxの列（カラム）を区別するために、図において左から順に第１列、第２列、第３列、…、第Ｎ列と呼ぶ場合がある。また、第ｎ列の画素Ｐxを、画素Ｐx[n]と表す場合がある（ｎは、１以上Ｎ以下の整数）。
【００２３】
表示領域３０に設けられる複数の画素Ｐxには、緑色Ｇ（「第１色」の一例）を表示可能な画素ＰxGと、赤色Ｒ（「第２色」の一例）を表示可能な画素ＰxRと、青色Ｂ（「第３色」の一例）を表示可能な画素ＰxBと、が含まれる。
より具体的には、ｋを、３≦ｋを満たす３の倍数の整数として、図２に示すように、第１列〜第Ｎ列のうち、第（ｋ−２）列にはＭ行の画素ＰxRが配置され、第（ｋ−１）列にはＭ行の画素ＰxGが配置され、第ｋ列にはＭ行の画素ＰxBが配置される。
なお、以下では、画素ＰxGに対応するデータ線３４を、符号「３４G」で表し、画素ＰxRに対応するデータ線３４を、符号「３４R」で表し、画素ＰxBに対応するデータ線３４を、符号「３４B」で表すことがある。
また、本実施形態では、表示領域３０全体の表示を明るくするため、電気光学装置１が表示可能な色（赤色Ｒ、緑色Ｇ、青色Ｂ）のうち、最も分光感度の高い光に対応する色である緑色Ｇ（第１色）が表示される領域の面積を広くする。具体的には、画素ＰxGのＸ方向の幅を、画素ＰxR及び画素ＰxGのＸ方向の幅よりも大きくする。また、画素ＰxR及び画素ＰxGのＸ方向の幅は、略同じ幅とする。
【００２４】
図２に示すように、表示パネル１０には、表示領域３０と、後述するデータ線駆動回路２４との間の周辺領域４０において、Ｎ列のデータ線３４に１対１に対応して、Ｎ個の保持容量Ｃｓが設けられている。各保持容量Ｃｓは、２つの電極を有する。一方の電極は、対応するデータ線３４に電気的に接続され、他方の電極には、一定の電位Ｖcomが供給される。また、周辺領域４０には、一定の電位Ｖcomが供給される給電線４１が図においてＸ方向に延在するように設けられる。本実施形態では、当該給電線４１が、各保持容量Ｃｓの有する他方の電極として機能する。
なお、以下では、データ線３４Rに対応して設けられる保持容量Ｃｓを符号「ＣｓR」で表し、データ線３４Gに対応して設けられる保持容量Ｃｓを符号「ＣｓG」で表し、データ線３４Bに対応して設けられる保持容量Ｃｓを符号「ＣｓB」で表すことがある。
【００２５】
図２に示すように、表示パネル１０は、駆動回路２０を備える。画素Ｐxは、画素Ｐxに対応して設けられる画素回路１１０を含む。駆動回路２０は、これら、各画素Ｐxに対応する各画素回路１１０を駆動する。
【００２６】
駆動回路２０は、走査線駆動回路２２と、データ線駆動回路２４とを備える。
走査線駆動回路２２は、第１行〜第Ｍ行の走査線３２を行単位で順次に走査（選択）する手段である。具体的には、走査線駆動回路２２は、１フレームの期間において、第１行〜第Ｍ行の走査線３２のそれぞれに対して出力する走査信号Ｇw［１］〜Ｇw［Ｍ］を、水平走査期間毎に順番に所定の選択電位に設定することで、走査線３２を行単位で順次に選択する。なお、１フレームの期間とは、電気光学装置１が１カット（コマ）分の画像を表示するのに要する期間である。
データ線駆動回路２４は、制御回路５０より供給される画像信号Ｖid及び制御信号Ｃtrに基づいて、各画素回路１１０に対応する画素Ｐxが表示すべき階調を規定するデータ信号Ｖd［１］〜Ｖd［Ｎ］を生成するとともに、水平走査期間毎に、Ｎ列のデータ線３４に対して出力する。
なお、本実施形態では、制御回路５０が出力する画像信号Ｖidはアナログの信号であるが、制御回路５０はデジタルの画像信号を出力するものであってもよい。この場合、データ線駆動回路２４において、デジタルの画像信号をＤ／Ａ変換することで、データ信号Ｖd［１］〜Ｖd［Ｎ］を生成すればよい。
【００２７】
図３に、画素Ｐxが備える画素回路１１０の等価回路図の一例を示す。なお、各画素回路１１０については電気的にみれば互いに同一構成なので、ここでは、第ｍ行第ｎ列の画素回路１１０を例にとって説明する。ここで、ｍは、１以上Ｍ以下の整数であり、ｎは、１以上Ｎ以下の整数である。
【００２８】
図３に示されるように、画素回路１１０は、基板１５０（図３では図示省略）に形成され、Ｐチャネル型のトランジスター１１２、液晶素子ＣL、及び、容量１１４を含む。
液晶素子ＣLは、画素電極１２２、共通電極１２４、並びに、画素電極１２２及び共通電極１２４の間に設けられた液晶１２６を具備する電気光学素子である。画素電極１２２と共通電極１２４との間の印加電圧に応じて液晶１２６の透過率が変化し、その結果、当該画素回路１１０に対応する画素Ｐxの表示階調が変化する。共通電極１２４は、一定の電位Ｖcomに設定されている。
容量１１４は、２つの電極を有し、一方の電極が画素電極１２２に電気的に接続され、他方の電極が一定の電圧に保たれた給電線３８に電気的に接続される。
【００２９】
この画素回路１１０には、第ｍ行の走査線３２を介して、走査線駆動回路２２から走査信号Ｇw［ｍ］が供給される。
トランジスター１１２は、ゲートが第ｍ行の走査線３２に電気的に接続され、ソースまたはドレインの一方が第ｎ列のデータ線３４に電気的に接続されている。また、トランジスター１１２は、ソースまたはドレインの他方が、容量１１４が有する２つの電極のうち一方の電極、及び、画素電極１２２にそれぞれ電気的に接続されている。すなわち、トランジスター１１２は、画素電極１２２とデータ線３４との間に電気的に接続され、画素電極１２２とデータ線３４との間の電気的な接続を制御する。
【００３０】
画素回路１１０の構造について、図４および図５を参照しつつ説明する。各画素回路１１０は同様に構成されるため、図４および図５では、１つの画素回路１１０（例えば、第ｍ行第ｎ列の画素回路１１０）を例にとって説明する。図４は、トップエミッション構造の画素回路１１０を表面側から平面視した場合の、画素回路１１０の配線構造を示す平面図である。また、図５は、図４におけるＤ−ｄ線で破断した部分断面図である。これら図４及び図５では、簡略化のために、後述する画素電極１２２よりも表面側に形成される構造体を省略している。
なお、「表面側」とは、図５において、基板１５０から見て画素回路１１０が設けられる方向である。また、表面側とは逆側、つまり、画素電極１２２から見て基板１５０が設けられる方向を「裏面側」と表現することがある。また、表面側から電気光学装置１を見ること（つまり、基板１５０に垂直な方向から電気光学装置１を見ること）を「平面視」と表現することがある。
【００３１】
図５に示すように、画素回路１１０を構成する各要素は、基板１５０上に形成されている。基板１５０は、ガラスやプラスチック等の透明な絶縁性材料からなる板状の部材である。
基板１５０上には、トランジスター１１２の半導体層１１２ａ、１１２ｂ、及び、１１２ｃが設けられる。半導体層１１２ａは、トランジスター１１２のソース領域またはドレイン領域の一方に相当し、半導体層１１２ｂは、トランジスター１１２のソース領域またはドレイン領域の他方に相当し、半導体層１１２ｃは、トランジスター１１２のチャネル領域に相当する。
【００３２】
図５に示すように、半導体層１１２ａ、１１２ｂ、及び、１１２ｃ、並びに、基板１５０を覆うように、透明な非導電性材料からなるゲート絶縁層Ｌ０が形成される。
ゲート絶縁層Ｌ０の表面側には、導電性材料からなる第１配線層がパターニングにより形成される。この第１配線層には、行毎に設けられる走査線３２と、画素Ｐx毎に設けられるゲートノード１１２ｇと、が含まれる。ゲートノード１１２ｇは、走査線３２に電気的に接続される。このゲートノード１１２ｇのうち、平面視して半導体層１１２ｃに重なる部分が、トランジスター１１２のゲートに相当する。
【００３３】
図５に示すように、第１配線層及びゲート絶縁層Ｌ０を覆うように、透明な非導電性材料からなる第１層間絶縁層Ｌ１が形成される。
第１層間絶縁層Ｌ１の表面側には、導電性材料からなる第２配線層がパターニングにより形成される。この第２配線層には、列毎に設けられるデータ線３４と、画素Ｐx毎に設けられる中継ノードＮ１及びＮ２と、が含まれる。中継ノードＮ１は、データ線３４に電気的に接続されとともに、第１層間絶縁層Ｌ１及びゲート絶縁層Ｌ０を貫通するコンタクトホールＨa1を介して、半導体層１１２ａに電気的に接続される。中継ノードＮ２は、コンタクトホールＨa2を介して、半導体層１１２ｂに電気的に接続される。なお、図４において、コンタクトホールは、異種の配線層同士が重なる部分で「□」印に「×」印を付した部分として示している。
【００３４】
図５に示すように、第２配線層及び第１層間絶縁層Ｌ１を覆うように、透明な非導電性材料からなる第２層間絶縁層Ｌ２が形成される。
第２層間絶縁層Ｌ２の表面側には、導電性材料からなる第３配線層がパターニングにより形成される。この第３配線層には、行毎に設けられる給電線３８と、画素Ｐx毎に設けられる中継ノードＮ３と、が含まれる。中継ノードＮ３は、給電線３８に電気的に接続される。中継ノードＮ２及び中継ノードＮ３が、第２層間絶縁層Ｌ２を挟持することで、容量１１４が形成される。
【００３５】
図５に示すように、第３配線層及び第２層間絶縁層Ｌ２を覆うように、透明な非導電性材料からなる第３層間絶縁層Ｌ３が形成される。
第３層間絶縁層Ｌ３の表面側には、導電性材料からなる第４配線層がパターニングにより形成される。この第４配線層には、画素Ｐx毎に設けられる画素電極１２２が含まれる。画素電極１２２は、透明な導電性材料より形成され、コンタクトホールＨa3を介して、中継ノードＮ２に電気的に接続される。
【００３６】
図示は省略するが、画素電極１２２の表面側には液晶１２６が設けられ、更に、液晶１２６の表面側には、透明な導電性材料より形成される共通電極１２４が、複数の画素回路１１０に共通に設けられる。そして、共通電極１２４の表面側には、画素Ｐxが表示する色に対応して、赤色Ｒ、緑色Ｇ、及び、青色Ｂのいずれかのカラーフィルターが重ねられる。
また、基板１５０の裏面側には、光源が設けられる。光源から出射された光は、基板１５０、各種絶縁層（Ｌ０〜Ｌ３）、画素電極１２２、液晶１２６、及び、共通電極１２４を透過し、カラーフィルターにより着色されたうえで、図５において表面側に位置する観察者により映像として視認されることになる。すなわち、画素ＰxGは、後述する光源より出射された光をデータ信号Ｖd［ｎ］に応じて変調して緑色Ｇの光を出射し、画素ＰxRは、光源より出射される光をデータ信号Ｖd［ｎ］に応じて変調して赤色Ｒの光を出射し、画素ＰxBは、光源より出射される光をデータ信号Ｖd［ｎ］に応じて変調して青色Ｂの光を出射する。
また、以上で説明した以外にも、発光層を大気から遮断するための封止材などが設けられるが、説明は省略する。
【００３７】
なお、図４及び図５では、トランジスター１１２、容量１１４、及び、給電線３８は、平面視したときにデータ線３４または走査線３２に重ならない位置に設けられているが、データ線３４または走査線３２に重なる位置に設けても構わない。
【００３８】
次に、図６及び図７を参照しつつ、各画素ＰxのＸ方向の幅（つまり、隣り合う２列のデータ線３４の間隔）と、各保持容量Ｃｓの容量値との関係について説明する。
図６は、Ｘ方向において連続する５個の保持容量Ｃｓと、当該５個の保持容量Ｃｓに対応する５列のデータ線３４と、当該５列のデータ線に対応して設けられる複数の画素Ｐxとを、平面視したときの平面図である。具体的には、図６では、第ｋ列〜第（ｋ＋４）列の５個の保持容量Ｃｓ及び５列のデータ線３４と、第ｋ列〜第（ｋ＋４）列に配置された２行分の１０個の画素Ｐxとを表している。また、図７は、図６におけるＥ−ｅ線で破断した部分断面図である。
【００３９】
図６及び図７に示すように、本実施形態において、データ線３４は、周辺領域４０において第４配線層に形成されるとともに、表示領域３０においては上述のとおり第２配線層に形成され、第２配線層に形成されるデータ線３４と、第４配線層に形成されるデータ線３４とは、コンタクトホールＨbを介して電気的に接続される。
周辺領域４０には、平面視して給電線４１と重なる位置に、Ｎ列のデータ線３４に１対１に対応するように、Ｎ個の電極３４１が設けられている。そして、データ線３４は、１または複数のコンタクトホールＨcを介して、当該データ線３４に対応して設けられた電極３４１に電気的に接続される。電極３４１と給電線４１とが、第２層間絶縁層Ｌ２を挟持することで、保持容量Ｃｓが形成される。
なお、以下では、データ線３４Rに対応して設けられる保持容量ＣｓRの有する電極３４１を、符号「電極３４１R」で表し、データ線３４Gに対応して設けられる保持容量ＣｓGの有する電極３４１を、符号「電極３４１G」で表し、データ線３４Bに対応して設けられる保持容量ＣｓBの有する電極３４１を、符号「電極３４１B」で表す。
【００４０】
上述のとおり、画素ＰxGのＸ方向の幅は、画素ＰxR及び画素ＰxGのＸ方向の幅よりも大きい。また、画素ＰxR及び画素ＰxGのＸ方向の幅は、略同じ幅である。
ここで、図６に示すように、データ線３４B（例えば、第（ｋ）列のデータ線３４）と、当該データ線３４Bに隣り合うデータ線３４R（例えば、第（ｋ＋１）列のデータ線３４）の間隔をＤBRで表す。また、データ線３４R（例えば、第（ｋ＋１）列のデータ線３４）と、当該データ線３４Rに隣り合うデータ線３４G（例えば、第（ｋ＋２）列のデータ線３４）との間隔をＤRGで表す。また、データ線３４G（例えば、第（ｋ＋２）列のデータ線３４）と、当該データ線３４Gに隣り合うデータ線３４B（例えば、第（ｋ＋３）列のデータ線３４）との間隔をＤGBで表す。
このとき、これらの３つの間隔の間には、以下の式（１）が成立する。
ＤGB  ＞  ＤBR  ≒  ＤRG    ……（１）
よって、以下の式（２）が成立する。
ＤRG  ＋  ＤGB  ＞  ＤBR  ＋  ＤRG    ……（２）
なお、式（１）において、「ＤBR  ≒  ＤRG」としたのは製造誤差を考慮したためであり、製造誤差が無い場合には「ＤBR  ＝  ＤRG」と表すことができる。以下の説明において、「略同じ」または「略等しい」というときは、「厳密に等しい」場合、すなわち、製造誤差が無く等しい場合と、「製造誤差の範囲で等しい」場合、すなわち、製造誤差が存在するものの当該製造誤差を考慮して等しいと看做すことができる場合の双方を含むこととする。
【００４１】
ところで、図４及び図５に示すように、データ線３４と走査線３２との間、データ線３４と給電線３８との間、及び、データ線３４とトランジスター１１２等の画素回路１１０の各構成要素との間等には、それぞれ容量Ｃｐが寄生する。
また、容量Ｃｐ以外にも、データ線３４には、当該データ線３４に隣り合うデータ線３４との間に、容量が寄生する。具体的には、図６に示すように、データ線３４Gと、当該データ線３４Gに隣り合うデータ線３４Bとの間に容量ＣGBが寄生し、データ線３４Bと、当該データ線３４Bに隣り合うデータ線３４Rとの間に容量ＣBRが寄生し、データ線３４Rと、当該データ線３４Rに隣り合うデータ線３４Gとの間に容量ＣRGが寄生する。
【００４２】
走査線３２、給電線３８、画素回路１１０等と、データ線３４との間に寄生する容量Ｃｐの容量値の合計値Ｃp_allは、データ線３４R、データ線３４G、データ線３４Bの間で大きなばらつきは無く、略等しいと看做すことが可能である。
すなわち、第１列及び第Ｎ列を除き、データ線３４Rに寄生する容量ＣRpの容量値は、「ＣBR＋ＣRG＋Ｃp_all」となり、データ線３４Gに寄生する容量ＣGpの容量値は、「ＣRG＋ＣGB＋Ｃp_all」となり、データ線３４Bに寄生する容量ＣBpの容量値は、「ＣGB＋ＣBR＋Ｃp_all」となる（なお、以下では、記載の便宜上、容量値を、容量を表す符号を流用して表すことがある）。
【００４３】
一方、間隔ＤGBは、間隔ＤBR及び間隔ＤRGに比べて大きいため、容量ＣGBの容量値、容量ＣBRの容量値、及び、容量ＣRGの容量値の間には、以下の式（３）の関係が成立する。
ＣGB  ＜  ＣBR  ≒  ＣRG    ……（３）
すなわち、第１列及び第Ｎ列を除き、寄生容量ＣRpの容量値、寄生容量ＣGpの容量値、及び、寄生容量ＣBpの容量値の間には、以下の式（４）の関係が成立する。
ＣRp  ＞  ＣGp  ≒  ＣBp    ……（４）
【００４４】
このため、第２列〜第（Ｎ−１）列において、データ線３４Rに対応する画素ＰxRに対するデータ信号Ｖd［ｎ］の書込は、データ線３４Gに対応する画素ＰxGに対するデータ信号Ｖd［ｎ］の書込、及び、データ線３４Bに対応する画素ＰxBに対するデータ信号Ｖd［ｎ］の書込に比べて不十分なものとなる可能性がある。すなわち、寄生容量ＣRpの容量値が、寄生容量ＣGp及び寄生容量ＣBpの容量値に比べて大きいため、画素ＰxR、画素ＰxG、及び、画素ＰxBに供給されるデータ信号Ｖd［ｎ］がある電位を示す場合に、画素ＰxRが備える画素電極１２２が当該ある電位に達するまでの時間は、画素ＰxGが備える画素電極１２２が当該ある電位に達するまでの時間、及び、画素ＰxBが備える画素電極１２２が当該ある電位に達するまでの時間に比べて長くなる。その結果、電気光学装置１が、緑色Ｇ及び青色Ｂに比べて、赤色Ｒを十分に（鮮明に）表示できない等の表示上の不具合が生じうる。
【００４５】
そこで、本実施形態では、画素ＰxRに対する書込が不十分となり、赤色Ｒが十分に表示されないという事象の発生を防止するために、第１列及び第Ｎ列を除き、保持容量ＣｓGの容量値、及び、保持容量ＣｓBの容量値を、保持容量ＣｓRの容量値に比べて大きくする。
すなわち、図６に示すように、第２列〜第（Ｎ−１）列において、保持容量ＣｓRの有する電極３４１RのＸ方向の長さＬRが、保持容量ＣｓGの有する電極３４１GのＸ方向の長さＬG、及び、保持容量ＣｓGの有する電極３４１GのＸ方向の長さＬGに比べて小さくなるように、各保持容量Ｃｓ（各電極３４１）を設ける。
【００４６】
より具体的には、第２列〜第（Ｎ−１）列において、データ線３４Rに対応して設けられる保持容量ＣｓRと、当該データ線３４Rの寄生容量ＣRpとを合成した容量ＣRの容量値、データ線３４Gに対応して設けられる保持容量ＣｓGと、当該データ線３４Gの寄生容量ＣGpとを合成した容量ＣGの容量値、及び、データ線３４Bに対応して設けられる保持容量ＣｓBと、当該データ線３４Bの寄生容量ＣBpとを合成した容量ＣBの容量値が、略同じとなるように、各保持容量Ｃｓの容量値（つまり、各電極３４１のＸ方向の長さ）を定める。
すなわち、保持容量ＣｓRの容量値、保持容量ＣｓGの容量値、及び、保持容量ＣｓBの容量値が、以下の式（５）を満たすように、第２列〜第（Ｎ−１）列における各保持容量Ｃｓの容量値を定める。
ＣｓR＋ＣRp  ≒  ＣｓG＋ＣGp  ≒  ＣｓB＋ＣBp    ……（５）
これにより、各データ線３４に対応して保持容量Ｃｓを設けない場合と比較して、データ線３４Rの有する容量ＣRの容量値、データ線３４Gの有する容量ＣGの容量値、及び、データ線３４Bの有する容量ＣBの容量値の間のばらつきを低減させ、または、当該ばらつきをなくすことができ、その結果として、赤色Ｒを十分に表示できないといった表示上の不具合の発生を防止し、または、このような表示上の不具合が発生する可能性を低減することが可能となる。
【００４７】
また、本実施形態では、第１列〜第Ｎ列において、電極３４１RのＹ方向の長さ、電極３４１GのＹ方向の長さ、及び、電極３４１BのＹ方向の長さは、いずれも「Ｗ0」となるように、または、「Ｗ0」と略同じとなるように、各保持容量Ｃｓ（各電極３４１）を設ける。
また、本実施形態では、Ｎ個の電極３４１は、Ｙ方向の位置が互いに等しく（または略等しく）なるように設けられる。
【００４８】
なお、第１列のデータ線３４Rは、第２列のデータ線３４Gのみと隣り合い、第Ｎ列のデータ線３４Bは、第（Ｎ−１）列のデータ線３４Gのみと隣り合う。よって、第１列及び第Ｎ列のデータ線３４の各々に寄生する容量の容量値は、第２列〜第（Ｎ−１）列のデータ線３４の各々に寄生する容量の容量値と比較して、小さい。
このため、本実施形態では、第１列のデータ線３４Rに対応して設けられる保持容量ＣｓRの容量値を、他の列のデータ線３４Rに対応して設けられる保持容量ＣｓRの容量値よりも大きくし、また、第Ｎ列のデータ線３４Bに対応して設けられる保持容量ＣｓBの容量値を、他の列のデータ線３４Bに対応して設けられる保持容量ＣｓBの容量値よりも大きくすることで、第１列〜第Ｎ列において、寄生容量ＣRpの容量値、寄生容量ＣGpの容量値、及び、寄生容量ＣBpの容量値の違いによる、容量ＣRの容量値、容量ＣGの容量値、及び、容量ＣBの容量値の違いの程度が小さくなるように、第１列及び第Ｎ列の保持容量Ｃｓを設ける。より好ましくは、容量ＣRの容量値、容量ＣGの容量値、及び、容量ＣBの容量値が略同じとなるように、第１列及び第Ｎ列の保持容量Ｃｓを設ける。
但し、表示領域３０の端部に配置される第１列または第Ｎ列の画素Ｐxにおいて表示上の不具合が生じたとしても、当該不具合が観察者により視認される可能性は小さい。そのため、第１列の保持容量ＣｓRの容量値を、他の列の保持容量ＣｓRの容量値と略同じとし、第Ｎ列の保持容量ＣｓBの容量値を、他の列の保持容量ＣｓBの容量値と略同じとしてもよい。この場合、第１列及び第Ｎ列の保持容量Ｃｓのみを、他の列の保持容量Ｃｓと異なる扱いとする場合（つまり、本実施形態の場合）と比較して、電気光学装置１の製造が容易となる。
【００４９】
このように、本実施形態では、容量ＣRの容量値、容量ＣGの容量値、及び、容量ＣBの容量値が、略同じとなるように、各保持容量Ｃｓを設ける。これにより、例えば、赤色Ｒを十分に表示できないといった表示上の不具合が発生する可能性を低減することが可能となる。
【００５０】
また、本実施形態では、平面視したときの画素ＰxGの面積（Ｘ方向の幅）が、画素ＰxBの面積や、画素ＰxRの面積に比べて大きい。緑色Ｇの光は、画素ＰxBの光及び画素ＰxRの光に比べて分光感度が高いため、表示領域３０全体の明るさを明るくすることができる。すなわち、本実施形態は、表示領域３０の全体の明るさの向上と、表示の不均一性の低下の防止と、を両立することができる。
【００５１】
また、本実施形態では、保持容量ＣｓR、保持容量ＣｓG、及び、保持容量ＣｓBの容量値を、各保持容量ＣｓのＸ方向の長さにより調節する。上述のとおり、データ線３４G及びデータ線３４Bの間の間隔ＤGBは、データ線３４B及びデータ線３４Rの間の間隔ＤBR、及び、データ線３４R及びデータ線３４Gの間の間隔ＤRGに比べて大きい。そして、当該間隔ＤGBを有するデータ線３４G及びデータ線３４Bの間の領域を利用することで、保持容量ＣｓG（電極３４１G）及び保持容量ＣｓB（電極３４１B）のＸ方向の長さを、保持容量ＣｓR（電極３４１R）のＸ方向の長さに比べて長くすることができる。このため、保持容量ＣｓG及び保持容量ＣｓBのＹ方向の長さを保持容量ＣｓRのＹ方向の長さに比べて長くすることなく、平面視したときの保持容量ＣｓG及び保持容量ＣｓBの面積を保持容量ＣｓRの面積よりも大きくすることができる。このように、本実施形態では、保持容量ＣｓG及び保持容量ＣｓBのＸ方向の長さを長くすることで、保持容量ＣｓG及び保持容量ＣｓBの容量値を大きくするため、表示パネル１０におけるスペースの有効活用を図ることができ、保持容量ＣｓG及び保持容量ＣｓBのＹ方向の長さを長くすることで容量値を大きくする場合と比較して狭額縁化が可能となる。
また、本実施形態では、当該間隔ＤGBを有するデータ線３４G及びデータ線３４Bの間の領域を利用して、保持容量ＣｓG及び保持容量ＣｓBを設けることができるので、周辺領域４０における保持容量ＣｓG及び保持容量ＣｓBを設けるためのスペースを確保するために、周辺領域４０におけるデータ線３４G及びデータ線３４Bの間の間隔を、表示領域３０におけるデータ線３４G及びデータ線３４Bの間の間隔に比べて大きくする必要もない。すなわち、周辺領域４０において、保持容量ＣｓG及び保持容量ＣｓBを設けるためのスペースを確保するために、周辺領域４０において、データ線３４R、３４G、及び、３４Bのうち少なくとも一部のデータ線３４をＸ方向に折り曲げる等することで、周辺領域４０におけるデータ線３４G及びデータ線３４Bの間の間隔を、表示領域３０におけるデータ線３４G及びデータ線３４Bの間の間隔に比べて大きくする必要は無い。このため、データ線３４が狭ピッチである場合であっても、表示領域３０においてＹ方向に延在するデータ線３４を周辺領域４０等においてＸ方向に折り曲げることなく、保持容量ＣｓRに比べて容量値の大きい保持容量ＣｓG及び保持容量ＣｓBを設けることができ、周辺領域４０等においてデータ線３４をＸ方向に折り曲げる場合と比較して電気光学装置１の製造を簡素化することができる。
【００５２】
なお、本実施形態において、図６に示す第（ｋ＋２）列のデータ線３４Gは、「第１のデータ線」の一例であり、第（ｋ＋１）列のデータ線３４Rは、「第２のデータ線」の一例であり、第（ｋ＋３）列のデータ線３４Bは、「第３のデータ線」の一例であり、第ｋ列のデータ線３４Bは、「第４のデータ線」の一例である。また、以下では、第１のデータ線に対応して設けられる画素Ｐxを、「第１の画素」と称し、第２のデータ線に対応して設けられる画素Ｐxを、「第２の画素」と称し、第３のデータ線に対応して設けられる画素Ｐxを、「第３の画素」と称する場合がある。また、以下では、第１のデータ線に対応して設けられる保持容量Ｃｓを、「第１の保持容量」と称し、第２のデータ線に対応して設けられる保持容量Ｃｓを、「第２の保持容量」と称し、第３のデータ線に対応して設けられる保持容量Ｃｓを、「第３の保持容量」と称する場合がある。
【００５３】
すなわち、式（２）は、第２のデータ線と第３のデータ線との間隔が、第１のデータ線と第４のデータ線との間隔よりも大きいことを例示するものである。また、式（４）は、第２のデータ線に寄生する容量の容量値が、第１のデータ線に寄生する容量の容量値（及び、第３のデータ線に寄生する容量の容量値）よりも大きいことを例示するものである。
すなわち、本実施形態によれば、第２のデータ線と第３のデータ線との間隔が、第１のデータ線と第４のデータ線との間隔よりも大きいことにより、第２のデータ線に寄生する容量の容量値が、第１のデータ線に寄生する容量の容量値よりも大きくなる場合に、第１のデータ線に対応して設けられる第１の保持容量の容量値を、第２のデータ線に対応して設けられる第２の保持容量の容量値よりも大きくするため、第２の画素に対するデータ信号Ｖd［ｎ］の書込が、第１の画素に対するデータ信号Ｖd［ｎ］の書込に比べて不十分となることを防止し、表示の均一性を高めることができる。
【００５４】
＜Ｂ：変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００５５】
＜変形例１＞
上述した実施形態では、各保持容量Ｃｓが式（５）を満たすように設けることで、容量ＣRの容量値、容量ＣGの容量値、及び、容量ＣBの容量値を略同じにするものであるが、本発明はこのような態様に限定されるものではなく、容量ＣRの容量値、容量ＣGの容量値、及び、容量ＣBの容量値が、以下の式（６）及び式（７）を充足するように、各保持容量Ｃｓの容量値（つまり、各電極３４１のＸ方向の長さ）を定めるものであってもよい。
｜ＣR  −  ＣG｜  ＜  ｜ＣRp  −  ＣGp｜    ……（６）
｜ＣR  −  ＣB｜  ＜  ｜ＣRp  −  ＣBp｜    ……（７）
この場合であっても、各データ線３４に対応して保持容量Ｃｓを設けない場合と比較して、Ｎ列のデータ線３４の有する容量の容量値のばらつきの大きさの程度を低減させることができ、赤色Ｒを十分に表示できないといった表示上の不具合が発生する可能性を低減することが可能となる。
【００５６】
＜変形例２＞
上述した実施形態及び変形例は、保持容量ＣｓR、保持容量ＣｓG、及び、保持容量ＣｓBの容量値を、各保持容量ＣｓのＸ方向の長さにより調節するが、本発明はこのような態様に限定されるものではなく、保持容量Ｃｓの容量値はどのような手段により調整するものであってもよい。
【００５７】
例えば、図８に示すように、保持容量Ｃｓの容量値を、保持容量ＣｓのＹ方向の長さにより調節してもよい。具体的には、図８に示すように、保持容量ＣｓR、保持容量ＣｓG、及び、保持容量ＣｓBのＸ方向の長さを、いずれも等しい長さＬ10とする（または、長さＬ10と略同じとする）。そして、保持容量ＣｓRのＹ方向の長さを長さＷ11とし、保持容量ＣｓG、及び、保持容量ＣｓBのＹ方向の長さを、長さＷ11よりも長い長さＷ12とすることで、保持容量ＣｓG、及び、保持容量ＣｓBの容量値を、保持容量ＣｓRの容量値に比べて大きくするものであってもよい。
【００５８】
また、保持容量Ｃｓの容量値を、保持容量ＣｓのＸ方向の長さ、及び、保持容量ＣｓのＹ方向の長さの双方により、調整してもよい。
つまり、平面視したときに、保持容量ＣｓRの面積が、保持容量ＣｓGの面積よりも小さく、且つ、保持容量ＣｓBの面積よりも小さくなるように、各保持容量Ｃｓを設ければよい。
【００５９】
更には、図７に示す、電極３４１と、給電線４１との間隔ΔＹを調整することにより、各保持容量Ｃｓの容量値を調整してもよい。具体的には、保持容量ＣｓRにおける間隔ΔＹが、保持容量ＣｓGにおける間隔ΔＹよりも大きく、且つ、保持容量ＣｓBにおける間隔ΔＹよりも大きくなるように、各保持容量Ｃｓを設けてもよい。
【００６０】
＜変形例３＞
上述した実施形態及び変形例は、データ線３４Rに対応して保持容量ＣｓRを設け、データ線３４Gに対応して保持容量ＣｓGを設け、データ線３４Bに対応して保持容量ＣｓBを設けるが、本発明はこのような態様に限定されるものではなく、Ｎ本のデータ線３４のうち、一部のデータ線３４について、保持容量Ｃｓを設けないものであってもよい。
例えば、図９に示すように、データ線３４Gに対応する保持容量ＣｓG、及び、データ線３４Bに対応する保持容量ＣｓBのみを設け、データ線３４Rに対応する保持容量ＣｓRを設けないものであってもよい。つまり、式（５）乃至式（７）において、「ＣｓR＝０」としてもよい。換言すれば、電気光学装置１が備えるＮ個の保持容量Ｃｓの容量値のうち、最小値が「０」であってもよい。
【００６１】
この場合であっても、保持容量ＣｓG、及び、保持容量ＣｓBの容量値を、式（５）を満たすように、または、式（６）及び式（７）を満たすように定めることで、データ線３４Rの有する容量ＣRの容量値、データ線３４Gの有する容量ＣGの容量値、及び、データ線３４Bの有する容量ＣBの容量値の間のばらつきを低減させることができ、その結果として、赤色Ｒを十分に表示できないといった表示上の不具合が発生する可能性を低減させることが可能となる。
【００６２】
＜変形例４＞
上述した実施形態では、Ｎ個の保持容量Ｃｓは、１行に配置され、Ｎ個の保持容量ＣｓのＸ方向の位置が互いに異なる位置となるように配置されるが、本発明はこのような態様に限定されるものではなく、Ｎ個の保持容量Ｃｓは、２行または３行以上に配置されるものであってもよい。
例えば、Ｎ個の保持容量Ｃｓを２行に配置する場合、Ｎ個の保持容量Ｃｓが１行に配置される場合（例えば、図６または図８等に示す場合）に比べて、Ｎ個の保持容量Ｃｓを配置するために必要となるＸ方向の幅を小さくすることができる。
【００６３】
Ｎ個の保持容量Ｃｓを２行に配置する場合、例えば、図１０に示すように、Ｎ個の保持容量Ｃｓのうち、保持容量ＣｓBを一の行に配置するとともに、保持容量ＣｓR及び保持容量ＣｓGを他の行に配置してもよい。保持容量ＣｓB及びＣｓGのＸ方向の長さＬ32は、保持容量ＣｓRのＸ方向の長さＬ31よりも長い。従って、Ｘ方向の長さの長い保持容量ＣｓB及びＣｓGを異なる行に配置することで、同一の行に配置する場合と比較して、Ｎ個の保持容量Ｃｓを配置するために必要となるＸ方向の幅を小さくすることができ、保持容量ＣｓのＸ方向の幅により制約をうけることなく、データ線３４の狭ピッチ化を実現することが可能となる。
なお、Ｎ個の保持容量Ｃｓを２行に配置する場合、保持容量ＣｓGを一の行に配置するとともに、保持容量ＣｓR及び保持容量ＣｓBを他の行に配置してもよい。
【００６４】
＜変形例５＞
上述した実施形態及び変形例は、保持容量Ｃｓの容量値を調整することで、例えば赤色Ｒを十分に表示できないといった表示上の不具合が発生する可能性を低減させるものであったが、本発明はこのような態様に限定されるものではなく、保持容量Ｃｓの容量値を調整することに加えて、各データ線３４の有する抵抗Ｒｓの抵抗値を調整することで、表示上の不具合が発生する可能性を低減させるものであってもよい。
【００６５】
図１１は、本変形例に係る電気光学装置１ａのブロック図である。電気光学装置１ａは、表示パネル１０の代わりに表示パネル１０ａを備える点で、図２に示す電気光学装置１と相違する。また、表示パネル１０ａは、データ線３４Rに直列に抵抗ＲｓRが設けられ、データ線３４Gに直列に抵抗ＲｓGが設けられ、データ線３４Rに直列に抵抗ＲｓBが設けられる点を除き、表示パネル１０と同様に構成される。より具体的には、抵抗ＲｓR、ＲｓG、及び、ＲｓBの各々は、データ線駆動回路２４と周辺領域４０の間に、データ線３４に直列に設けられる。
【００６６】
本変形例において、抵抗Ｒｓは、抵抗ＲｓRの抵抗値、抵抗ＲｓGの抵抗値、及び、抵抗ＲｓBの抵抗値が、以下の式（８）を満たすように設けられる。
ＣR*ＲｓR  ≒  ＣG*ＲｓG  ≒  ＣB*ＲｓB    ……（８）
このように、データ線３４R、データ線３４G、及び、データ線３４Bにおいて、時定数が略同じになるように抵抗Ｒｓが設けられるため、データ線３４にデータ信号Ｖd［ｎ］の書込を行う場合の応答速度を略同じにすることができ、表示を均一化することができる。
【００６７】
＜変形例６＞
上述した実施形態及び変形例において、電気光学装置１（または１ａ）は、画素ＰxR、画素ＰxG、及び、画素ＰxBを備え、赤色Ｒ、緑色Ｇ、及び、青色Ｂを表示可能であるが、本発明はこのような態様に限定されるものではなく、電気光学装置は、少なくとも２色以上を表示可能なものであればよい。具体的には、電気光学装置は、赤色Ｒ、緑色Ｇ、及び、青色Ｂ以外の色を表示できるものであってもよいし、赤色Ｒ、緑色Ｇ、及び、青色Ｂのうち一部または全部を表示できないものであってもよい。
また、上述した実施形態及び変形例において、画素ＰxGのＸ方向の幅は、画素ＰxR及び画素ＰxGのＸ方向の幅に比べて大きいが、本発明はこのような態様に限定されるものではなく、電気光学装置が表示可能な２色以上の色のうち、一部の色に対応する画素ＰxのＸ方向の幅が、他の色に対応する画素ＰxのＸ方向の幅に比べて大きいものであればよい。そして、保持容量Ｃｓの容量値は、当該保持容量Ｃｓに対応して設けられるデータ線３４と、当該データ線３４に隣り合うデータ線３４との間隔に基づいて定めるものであればよい。
【００６８】
図１２は、本変形例に係る電気光学装置の表示領域３０及び周辺領域４０の一部についての平面図である。この図に示すように、本変形例に係る電気光学装置は、画素ＰxG、画素ＰxB、及び、画素ＰxRに加え、白色Ｗを表示可能な画素ＰxWを備える。より具体的には、ｑを、４≦ｑを満たす４の倍数の整数とすると、第１列〜第Ｎ列のうち、第（ｑ−３）列にはＭ行の画素ＰxGが配置され、第（ｑ−２）列にはＭ行の画素ＰxBが配置され、第（ｑ−１）列にはＭ行の画素ＰxRが配置され、第ｑ列にはＭ行の画素ＰxWが配置される。なお、以下では、画素ＰxWに対応するデータ線３４を、符号「３４W」で表す。また、データ線３４Wに対応して設けられる保持容量Ｃｓを、符号「ＣｓW」で表す。
【００６９】
本変形例では、画素ＰxG、画素ＰxB、及び、画素ＰxRのＸ方向の幅は、画素ＰxWのＸ方向の幅に比べて大きい。すなわち、互いに隣り合うデータ線３４G及びデータ線３４Bの間隔ＤGB、互いに隣り合うデータ線３４B及びデータ線３４Rの間隔ＤBR、互いに隣り合うデータ線３４R及びデータ線３４Wの間隔ＤRW、及び、互いに隣り合うデータ線３４W及びデータ線３４Gの間隔ＤWGは、以下の式（９）の関係を満たす。
ＤWG  ＜  ＤGB  ≒  ＤBR  ≒  ＤRW    ……（９）
すなわち、本変形例では、以下の式（１０）及び式（１１）が成立する。
ＤGB  ＋  ＤBR  ＞  ＤWG  ＋  ＤGB    ……（１０）
ＤBR  ＋  ＤRW  ＞  ＤRW  ＋  ＤWG    ……（１１）
このため、第１列及び第Ｎ列を除き、データ線３４Rの寄生容量ＣRpの容量値、データ線３４Gの寄生容量ＣGpの容量値、データ線３４Bの寄生容量ＣBpの容量値、及び、データ線３４Wの寄生容量ＣWpの容量値の間には、以下の式（１２）が成立する。
ＣRp  ≒  ＣBp  ＞  ＣGp  ≒  ＣWp    ……（１２）
【００７０】
そこで、本変形例では、第１列及び第Ｎ列を除き、保持容量ＣｓRの容量値、及び、保持容量ＣｓBの容量値を、保持容量ＣｓGの容量値、及び、保持容量ＣｓWの容量値に比べて大きくする。より好ましくは、データ線３４Rに対応する保持容量ＣｓRの容量値及び寄生容量ＣRpの容量値の合計値、データ線３４Gに対応する保持容量ＣｓGの容量値及び寄生容量ＣGpの容量値の合計値、データ線３４Bに対応する保持容量ＣｓBの容量値及び寄生容量ＣBpの容量値の合計値、並びに、データ線３４Wに対応する保持容量ＣｓWの容量値及び寄生容量ＣWpの容量値の合計値が、略同じになるように、各保持容量Ｃｓの容量値を定める。
これにより、画素ＰxG及び画素ＰxWに対するデータ信号Ｖd［ｎ］の書込が、画素ＰxB及び画素ＰxRに対するデータ信号Ｖd［ｎ］の書込に比べて不十分になることを防止することができ、表示が不均一になることを防止することが可能となる。
【００７１】
なお、本変形例においては、図１２に示すように、データ線３４Bを「第１のデータ線」とする場合、当該データ線３４Bに隣り合うデータ線３４Gが「第２のデータ線」に該当し、当該データ線３４Bに隣り合うデータ線３４Rが「第３のデータ線」に該当し、当該データ線３４Bに隣り合うデータ線３４Gに隣り合うデータ線３４Wが「第４のデータ線」に該当する。この場合、画素ＰxBが「第１の画素」に該当し、画素ＰxGが「第２の画素」に該当する。また、この場合、画素ＰxBが表示する青色Ｂが第１色に該当し、画素ＰxGが表示する緑色Ｇが第２色に該当する。
また、データ線３４Rを「第１のデータ線」とする場合、当該データ線３４Rに隣り合うデータ線３４Wが「第２のデータ線」に該当し、当該データ線３４Rに隣り合うデータ線３４Bが「第３のデータ線」に該当し、当該データ線３４Rに隣り合うデータ線３４Wに隣り合うデータ線３４Gが「第４のデータ線」に該当する。
【００７２】
＜変形例７＞
上述した実施形態及び変形例において、表示領域３０には、１列に対して、１の表示色に対応するＭ行の画素Ｐxが配置されるが、本発明はこのような態様に限定されるものではなく、１列に対して、２以上の表示色に対応する画素Ｐxを設けるものであってもよい。
例えば、図１３に示すように、ｑを、４≦ｑを満たす４の倍数の整数として、第１列〜第Ｎ列のうち、第（ｑ−３）列には複数の画素ＰxBと、複数の画素ＰxRとが配置され、第（ｑ−２）列には複数の画素ＰxBと、複数の画素ＰxRとが配置され、第（ｑ−１）列には複数の画素ＰxGと、複数の画素ＰxWとが配置され、第ｑ列には複数の画素ＰxGと、複数の画素ＰxWとが配置されるものであってもよい。
【００７３】
なお、この図において、第（ｑ−３）列、例えば第１列のデータ線３４［１］と、第（ｑ−２）列、例えば第２列のデータ線３４［２］との間隔Ｄ12、第（ｑ−２）列、例えば第２列のデータ線３４［２］と、第（ｑ−１）列、例えば第３列のデータ線３４［３］との間隔Ｄ23、第（ｑ−１）列、例えば第３列のデータ線３４［３］と、第ｑ列、例えば第４列のデータ線３４［４］との間隔Ｄ34、及び、第ｑ列、例えば第４列のデータ線３４［４］と、第（ｑ＋１）列、例えば第５列のデータ線３４［５］との間隔Ｄ45は、以下の式（１３）の関係を満たす。
Ｄ12  ≒  Ｄ23  ＜  Ｄ34  ≒  Ｄ45    ……（１３）
すなわち、以下の式（１４）が成立する。
Ｄ12  ＋  Ｄ23  ＜  Ｄ23  ＋  Ｄ34  ＜  Ｄ34  ＋  Ｄ45  ……（１４）
つまり、データ線３４［２］に寄生する容量Ｃ2pの容量値、データ線３４［３］に寄生する容量Ｃ3pの容量値、及び、データ線３４［４］に寄生する容量Ｃ4pの容量値の間には、以下の式（１５）が成立する。
Ｃ2p  ＞  Ｃ3p  ＞  Ｃ4p    ……（１５）
【００７４】
このため、本変形例では、データ線３４［４］に対応する保持容量Ｃｓ［４］の容量値を、データ線３４［３］に対応する保持容量Ｃｓ［３］の容量値よりも大きくするとともに、データ線３４［３］に対応する保持容量Ｃｓ［３］の容量値を、データ線３４［２］に対応する保持容量Ｃｓ［２］の容量値よりも大きくする。より好ましくは、保持容量Ｃｓの容量値及び寄生容量の容量値の合計値が、Ｎ列のデータ線３４の間で略等しくなるように、各保持容量Ｃｓの容量値を定める。
これにより、画素ＰxB、画素ＰxR、画素ＰxG、及び、画素ＰxWにおいて、データ信号Ｖd［ｎ］の書込が不十分となる画素Ｐxが発生することを防止し、表示が不均一になることを防止することが可能となる。
【００７５】
＜変形例８＞
上述した実施形態及び変形例では、各画素Ｐxが表示する表示色に対応するカラーフィルターが、各画素Ｐxに対応して備えるが、本発明はこのような態様に限定されるものではなく、各画素Ｐxが表示する表示色に対応する色の光を出射する光源を、各画素Ｐxに対応して設けてもよい。この場合、電気光学装置は、カラーフィルターを備えないものであってもよい。
【００７６】
＜変形例９＞
上述した実施形態及び変形例において、画素Ｐxに対応する画素回路１１０は図３乃至図５に示すように、液晶素子ＣLと、トランジスター１１２とを備えるが、これは一例に過ぎず、電気光学装置が備える画素回路１１０は、どのような構成でもよい。
例えば、液晶素子ＣLの代わりに、有機発光ダイオード、無機発光ダイオード、または、ＬＥＤ（Light Emitting Diode）など、電流に応じた輝度で発光する発光素子を備えるものでもよい。この場合、基板１５０は、ガラスやプラスチック等の透明な絶縁性材料から構成されるものでもよいし、半導体基板であってもよい。また、画素回路１１０は、Ｐチャネル型のトランジスターの代わりに、Ｎチャネル型のトランジスターを備えるものであってもよいし、Ｐチャネル型及びＮチャネル型の一方または双方を含む複数のトランジスターを備えるものであってもよい。また、画素回路１１０が備えるトランジスターは、薄膜トランジスターであってもよいし、基板１５０として半導体基板を採用する場合にはＭＯＳ型のトランジスターであってもよい。
【００７７】
＜Ｃ：応用例＞
次に、実施形態または変形例に係る電気光学装置を適用した電子機器について説明する。
図１４は、ヘッドマウント・ディスプレイ（ＨＭＤ）の外観を示す図であり、図１５は、その光学的な構成を示す図である。まず、図１４に示されるように、ヘッドマウント・ディスプレイ１０００は、外観的には、一般的な眼鏡と同様にテンプル１０１０や、ブリッジ１０２０、レンズ１００１Ｌ、１００１Ｒを有する。また、ヘッドマウント・ディスプレイ１０００は、図１５に示されるように、ブリッジ１０２０近傍であってレンズ１００１Ｌ、１００１Ｒの奥側（図において下側）には、左眼用の電気光学装置１Ｌと右眼用の電気光学装置１Ｒとが設けられる。電気光学装置１Ｌの画像表示面は、図１５において左側となるように配置している。これによって電気光学装置１Ｌによる表示画像は、光学レンズ１００２Ｌを介して図において９時の方向に出射する。ハーフミラー１００３Ｌは、電気光学装置１Ｌによる表示画像を６時の方向に反射させる一方で、１２時の方向から入射した光を透過させる。電気光学装置１Ｒの画像表示面は、電気光学装置１Ｌとは反対の右側となるように配置している。これによって電気光学装置１Ｒによる表示画像は、光学レンズ１００２Ｒを介して図において３時の方向に出射する。ハーフミラー１００３Ｒは、電気光学装置１Ｒによる表示画像を６時方向に反射させる一方で、１２時の方向から入射した光を透過させる。
この構成において、ヘッドマウント・ディスプレイ１０００の装着者は、電気光学装置１Ｌ、１Ｒによる表示画像を、外の様子と重ね合わせたシースルー状態で観察することができる。また、このヘッドマウント・ディスプレイ１０００において、視差を伴う両眼画像のうち、左眼用画像を電気光学装置１Ｌに表示させ、右眼用画像を電気光学装置１Ｒに表示させると、装着者に対し、表示された画像があたかも奥行きや立体感を持つかのように知覚させることができる（３Ｄ表示）。
図１６は、実施形態または変形例に係る電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２００３とを具備する。
図１７は、実施形態または変形例に係る電気光学装置を適用した携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。
なお、本発明に係る発光装置が適用される電子機器としては、図１４から図１７に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００７８】
１……電気光学装置、１０……表示パネル、２０……駆動回路、２２……走査線駆動回路、２４……データ線駆動回路、３０……表示領域、３２……走査線、３４……データ線、４１……給電線、５０……制御回路、１１０……画素回路、３４１……電極、Ｃｓ……保持容量、Ｐx……画素、ＣL……液晶素子。
【図１】
2015004910.tif 000003
【図２】
2015004910.tif 000004
【図３】
2015004910.tif 000005
【図４】
2015004910.tif 000006
【図５】
2015004910.tif 000007
【図６】
2015004910.tif 000008
【図７】
2015004910.tif 000009
【図８】
2015004910.tif 000010
【図９】
2015004910.tif 000011
【図１０】
2015004910.tif 000012
【図１１】
2015004910.tif 000013
【図１２】
2015004910.tif 000014
【図１３】
2015004910.tif 000015
【図１４】
2015004910.tif 000016
【図１５】
2015004910.tif 000017
【図１６】
2015004910.tif 000018
【図１７】
2015004910.tif 000019